(57)【特許請求の範囲】
【請求項１】
Ｙ結線で構成された三相３線式配電線におけるいずれか２つの配電線についての絶縁抵抗の漏れ電流Ｉｏｒを測定する漏れ電流測定装置であって、
前記２つの配電線間の相間電圧を検出する電圧検出部と、
前記２つの配電線に流れる電流の合成電流を検出する電流検出部と、
前記相間電圧および前記合成電流の間の位相差θ、並びに当該合成電流の電流値Ｉｏを算出すると共に、下記式（１）に基づいて前記漏れ電流Ｉｏｒを測定する処理部とを備えている漏れ電流測定装置。
Ｉｏｒ＝｜２×Ｉｏ×ｓｉｎθ｜  ・・・・  （１）
【請求項２】
前記処理部は、前記測定した漏れ電流Ｉｏｒと予め規定された規格値とを比較して、前記２つの配電線についての絶縁状態を判別する請求項１記載の漏れ電流測定装置。
【請求項３】
前記処理部は、前記位相差θが予め規定された規定角度範囲と比較して、当該規定角度範囲外となったときに表示部にエラー表示させる請求項１または２記載の漏れ電流測定装置。
【発明の詳細な説明】
【技術分野】
【０００１】
本発明は、三相３線式配電線の絶縁検査などに使用される漏れ電流測定装置に関するものである。
【背景技術】
【０００２】
この種の漏れ電流測定装置として、下記特許文献１に開示された漏れ電流測定装置（漏洩電流測定装置）が知られている。この漏れ電流測定装置では、電圧測定手段が星形配電方式の電源各相の線間電圧又は対地電圧を順次入力測定し、零相電流測定手段が電源から配電線やこの配電線に接続された負荷設備としての電気機器を通じて流れる対地漏洩電流である零相電流を測定し、信号処理手段が零相電流測定手段により測定した零相電流から、電圧測定手段により測定した星形（Ｙ形）配電方式電源の入力された線間電圧又は対地電圧と同相方向の成分である有効成分及び有効成分と９０度の位相差の無効成分とを順次入力された各電圧ごとに算出し、演算手段が信号処理手段により算出された零相電流の各電圧に対する有効成分及び無効成分、それに零相電流の値と電圧測定手段により入力された電圧若しくは設定された電圧の値から配電線や電気機器の対地絶縁抵抗を通じて流れる漏れ電流を演算する。
【０００３】
この場合、星形配電電源では、電圧をバランス状態の対地静電容量に印加したときに、各相の対地静電容量を流れる電流は大きさが同じで位相差が１２０度になり、三相分を合計した対地静電容量を流れる電流の電流値は０になる。一方、絶縁劣化の結果、対地絶縁抵抗を通じて流れる漏れ電流が発生した場合、この電流と対地静電容量を流れる電流との合成値が漏れ電流の合計である零相電流として計測されるが、対地静電容量を流れる電流の合成値は０であるので、上記の演算により、対地絶縁抵抗を通じて流れる漏れ電流が算出される。したがって、この漏れ電流測定装置では、星形配電方式配電線やそれに接続される電気機器の対地絶縁抵抗を通じて流れる漏れ電流を通電状態のまま安全に誤差の少ない状態で検出し得るようになっている。
【先行技術文献】
【特許文献】
【０００４】
【特許文献１】特開２００９−１４５１２２号公報（第５頁、第２図）
【発明の概要】
【発明が解決しようとする課題】
【０００５】
ところで、現在、提案されている三相３線式配電線についての漏れ電流測定装置は、上記の漏れ電流測定装置のように、三相分の電流の合計である零相電流を測定するものしか存在しておらず、三相から単相を取り出して構成される２本の配電線についての漏れ電流を測定し得る漏れ電流測定装置が存在していないため、このような単相の配電線についての漏れ電流を測定することができないという解決すべき課題が存在していた。
【０００６】
本発明は、かかる課題に鑑みてなされたものであり、三相から単相を取り出して構成される２本の配電線についての漏れ電流を測定し得る漏れ電流測定装置を提供することを主目的とする。
【課題を解決するための手段】
【０００７】
上記目的を達成すべく請求項１記載の漏れ電流測定装置は、Ｙ結線で構成された三相３線式配電線におけるいずれか２つの配電線についての絶縁抵抗の漏れ電流Ｉｏｒを測定する漏れ電流測定装置であって、前記２つの配電線間の相間電圧を検出する電圧検出部と、前記２つの配電線に流れる電流の合成電流を検出する電流検出部と、前記相間電圧および前記合成電流の間の位相差θ、並びに当該合成電流の電流値Ｉｏを算出すると共に、下記式（１）に基づいて前記漏れ電流Ｉｏｒを測定する処理部とを備えている。
Ｉｏｒ＝｜２×Ｉｏ×ｓｉｎθ｜  ・・・・  （１）
【０００８】
また、請求項２記載の漏れ電流測定装置は、請求項１記載の漏れ電流測定装置において、前記処理部は、前記測定した漏れ電流Ｉｏｒと予め規定された規格値とを比較して、前記２つの配電線についての絶縁状態を判別する。
【０００９】
また、請求項３記載の漏れ電流測定装置は、請求項１または２記載の漏れ電流測定装置において、前記処理部は、前記位相差θが予め規定された規定角度範囲と比較して、当該規定角度範囲外となったときに表示部にエラー表示させる。
【発明の効果】
【００１０】
請求項１記載の漏れ電流測定装置によれば、Ｙ結線で構成された三相３線式配電線におけるいずれか２つの配電線間の相間電圧とこの２つの配電線の合成電流（相電流が打ち消されるため、実質的に合成無効漏れ電流および合成有効漏れ電流が合成されてなる合成漏れ電流となる）Ｉｏとの間の位相差θ、合成電流Ｉｏおよび上記式（１）に基づいて、この２つの配電線についての絶縁抵抗の漏れ電流（合成有効漏れ電流）Ｉｏｒを精度良く測定することができる。
【００１１】
また、請求項２記載の漏れ電流測定装置によれば、測定した合成有効漏れ電流Ｉｏｒと予め規定された規格値とを処理部が比較して、２つの配電線についての絶縁状態を判別するため、この判別の結果を表示部などに表示させることで、漏れ電流測定装置のオペレータは、２つの配電線の絶縁状態の良否を確実かつ容易に認識することができる。
【００１２】
また、請求項３記載の漏れ電流測定装置によれば、位相差θが予め規定された規定角度範囲外のときに、処理部が表示部にエラー表示させるため、漏れ電流測定装置のオペレータが、２つの配電線が低圧側三相巻線における本来接続されるべき三相端子以外の端子に誤接続されているか、または例えば２つの配電線の合成電流を測定するための電流検出プローブのこの各配電線への装着方向が誤っている可能性のあることを確実かつ容易に認識することができる。
【図面の簡単な説明】
【００１３】
【図１】漏れ電流測定装置１の構成を示す構成図である。
【図２】絶縁抵抗の漏れ電流（合成有効漏れ電流）Ｉｏｒについての測定原理を説明するためのベクトル図である（Ｉｏｒｕのみが存在している場合）。
【図３】絶縁抵抗の漏れ電流（合成有効漏れ電流）Ｉｏｒについての測定原理を説明するためのベクトル図である（Ｉｏｒｖのみが存在している場合）。
【発明を実施するための形態】
【００１４】
以下、漏れ電流測定装置の最良の形態について、添付図面を参照して説明する。
【００１５】
最初に、漏れ電流測定装置１の構成について、図面を参照して説明する。
【００１６】
図１に示す漏れ電流測定装置１は、電圧検出部２、電流検出部３、処理部４、記憶部５および出力部６を備え、例えば、変圧器の低圧側三相巻線１１がＹ形に結線された交流電源１２の三相端子Ｕ，Ｖに接続される２つの配電線Ｌｕ，Ｌｖについての絶縁抵抗の漏れ電流（以下、「合成有効漏れ電流」ともいう）Ｉｏｒを測定可能に構成されている。この場合、交流電源１２は、一例として、商用周波数の三相交流電圧（中性点Ｎに対して位相が１２０°ずつずれる相電圧Ｖｕ，Ｖｖ，Ｖｗ）を発生させると共に、発生させた相電圧Ｖｕ，Ｖｖ，Ｖｗを三相端子Ｕ，Ｖ，Ｗから出力する。この構成により、交流電源１２は、配電線Ｌｕ，Ｌｖが接続された三相端子Ｕ，Ｖ間に相間電圧Ｖｖｕを出力して、配電線Ｌｕ，Ｌｖ間に接続された負荷１４に対して相電流Ｉｖｕを供給する。また、本例では一例として、交流電源１２の各三相端子Ｕ，Ｖ，Ｗには、接地用コンデンサ１３が接続されている。配電線Ｌｕと接地との間には、対地静電容量Ｃｕおよび対地漏れ抵抗Ｒｕが存在し、配電線Ｌｖと接地との間には、対地静電容量Ｃｖおよび対地漏れ抵抗Ｒｖが存在している。
【００１７】
電圧検出部２は、図１に示すように、一対の電圧検出プローブ２１，２１を介して配電線Ｌｕ，Ｌｖに接続される。また、電圧検出部２は、一対の電圧検出プローブ２１，２１を介して相間電圧Ｖｖｕを検出して、処理部４に出力する。電流検出部３は、配電線Ｌｕ，Ｌｖに予め決められた向きで装着された電流トランス型の電流検出プローブ２２を介して、配電線Ｌｕ，Ｌｖに流れる相電流Ｉｖｕ、対地静電容量Ｃｕを経由して接地に流れる漏れ電流（以下、「無効漏れ電流」ともいう）Ｉｏｃｕ、対地漏れ抵抗Ｒｕを経由して接地に流れる漏れ電流（以下、「有効漏れ電流」ともいう）Ｉｏｒｕ、対地静電容量Ｃｖを経由して接地に流れる漏れ電流（以下、「無効漏れ電流」ともいう）Ｉｏｃｖ、および対地漏れ抵抗Ｒｖを経由して接地に流れる漏れ電流（以下、「有効漏れ電流」ともいう）Ｉｏｒｖの合成漏れ電流Ｉｏを検出すると共に、電圧信号Ｖｉに変換して処理部４に出力する。この場合、負荷１４に流れる相電流Ｉｖｕは、図１に示すように、配電線Ｌｕと配電線Ｌｖとに逆向きに流れる（電流検出プローブ２２内を逆方向に流れる）ことになる。このため、電流検出プローブ２２での電流検出に際しては、両配電線Ｌｕ，Ｌｖを流れる相電流Ｉｖｕが打ち消されるため、電流検出プローブ２２で検出される電流は、上記２つの無効漏れ電流Ｉｏｃｕ，Ｉｏｃｖと２つの有効漏れ電流Ｉｏｒｕ，Ｉｏｒｖとが合成された合成漏れ電流Ｉｏとなる。
【００１８】
処理部４は、例えば、２つのＡ／Ｄ変換器およびＣＰＵ（いずれも図示せず）を備えて構成されている。この構成により、処理部４は、電圧検出部２から出力される相間電圧Ｖｖｕを一方のＡ／Ｄ変換器で相間電圧波形データＤｖに変換すると共に、電流検出部３から出力される電圧信号Ｖｉを他方のＡ／Ｄ変換器で電流波形データＤｉに変換して、記憶部５に記憶させるＡ／Ｄ変換処理を実行する。また、処理部４は、電流波形データＤｉに基づいて合成漏れ電流Ｉｏを算出する電流算出処理と、相間電圧波形データＤｖおよび電流波形データＤｉに基づいて、相間電圧Ｖｖｕと合成漏れ電流Ｉｏとの間の位相差θを算出する位相差算出処理とを実行する。また、処理部４は、下記式（１）に基づいて、配電線Ｌｕ，Ｌｖについての絶縁抵抗の合成有効漏れ電流Ｉｏｒ（有効漏れ電流Ｉｏｒｕ，Ｉｏｒｖの合成電流）を算出（測定）する漏れ電流算出処理を実行する。
Ｉｏｒ＝｜２×Ｉｏ×ｓｉｎθ｜  ・・・・  （１）
なお、｜ｘ｜は、数値ｘの絶対値を示している。
【００１９】
以下において、上記式（１）の算出根拠について図２，３を参照して説明する。
【００２０】
低圧側三相巻線１１がＹ形に結線された交流電源１２から配電線を介して交流電圧を供給する構成では、絶縁不良が発生した際に、三相端子Ｕ，Ｖ，Ｗに接続された配電線のうちの１つの配電線の絶縁状態が際立って劣化し、他の２つの配電線は健全な場合が殆どであることが知られている。したがって、図１に示すように、低圧側三相巻線１１がＹ形に結線された交流電源１２の三相端子Ｕ，Ｖに接続される２つの配電線Ｌｕ，Ｌｖについても、絶縁不良が発生した場合には、いずれか一方の配電線の絶縁状態が際立って劣化し、他方の配電線は健全であると考えられる。つまり、２つの配電線Ｌｕ，Ｌｖにおいて絶縁不良が発生した場合（絶縁状態が劣化した場合）に発生する有効漏れ電流は、有効漏れ電流Ｉｏｒｕ，Ｉｏｒｖのうちのいずれか一方のみであると考えられる。また、配電線Ｌｕ，Ｌｖの各対地静電容量Ｃｕ，Ｃｖは、絶縁不良の発生の有無に関わらずバランスが取れた状態で存在していると考えられる。つまり、各無効漏れ電流Ｉｏｃｕ，Ｉｏｃｖは同じ電流値であると考えられる。
【００２１】
まず、有効漏れ電流Ｉｏｒｕのみが生じて、絶縁不良が発生している場合（配電線Ｌｕに絶縁不良が発生している場合）について、図２を参照して説明する。なお、発生していない有効漏れ電流Ｉｏｒｖについては破線で示している。また、各相電圧Ｖｕ，Ｖｖ，Ｖｗおよび相間電圧Ｖｖｕについても発明の理解を容易にするため、破線で示している。なお、以下において各ベクトルの角度は、相間電圧Ｖｖｕを基準（０°）として、反時計回り方向に回転したときの角度で表記するものとする。
【００２２】
図２に示すように、配電線Ｌｕについての無効漏れ電流Ｉｏｃｕは、有効漏れ電流Ｉｏｒｕ（相電圧Ｖｕと同位相（３３０°））に対して位相が９０°進んでおり、また配電線Ｌｖについての無効漏れ電流Ｉｏｃｖは、有効漏れ電流Ｉｏｒｖ（相電圧Ｖｖと同位相（２１０°））に対して位相が９０°進んでいる。また、上記したように、両無効漏れ電流Ｉｏｃｕ，Ｉｏｃｖの電流値は同じである。このため、両無効漏れ電流Ｉｏｃｕ，Ｉｏｃｖの合成無効漏れ電流Ｉｏｃは、相間電圧Ｖｖｕと同位相（０°）となっている。この場合、各漏れ電流Ｉｏｃｕ，Ｉｏｒｕ，Ｉｏｃｖ，Ｉｏｒｖの合成漏れ電流Ｉｏは、有効漏れ電流Ｉｏｒｖがゼロであり、各無効漏れ電流Ｉｏｃｕ，Ｉｏｃｖの合成無効漏れ電流がＩｏｃであることから、ベクトル和でＩｏ＝Ｉｏｃ＋Ｉｏｒｕと表される。有効漏れ電流Ｉｏｒｕは、上記したように、相電圧Ｖｕと同じ角度（３３０°）上に存在するため、合成漏れ電流Ｉｏは、同図に示すように、相間電圧Ｖｖｕを基準とした３３０°から３６０°までの３０°の範囲内に存在することになる。
【００２３】
ここで、合成漏れ電流Ｉｏの先端から相間電圧Ｖｖｕと同位相の仮想直線Ｌ１上に下ろした垂線ａの長さは、｜Ｉｏ×ｓｉｎθ｜となる。また、有効漏れ電流Ｉｏｒｕの先端から仮想直線Ｌ１上に下ろした垂線ｂの長さは、垂線ａと同じ長さである。また、有効漏れ電流Ｉｏｒｕと仮想直線Ｌ１との成す角度は３０°である。したがって、有効漏れ電流Ｉｏｒｕの長さ（電流値）は、｜２×ｂ｜＝｜２×Ｉｏ×ｓｉｎθ｜で表される。また、配電線Ｌｖについての有効漏れ電流Ｉｏｒｖがゼロであることから、有効漏れ電流Ｉｏｒｕが、配電線Ｌｕ，Ｌｖについての絶縁抵抗の合成有効漏れ電流Ｉｏｒとなる。したがって、上記式（１）が成り立つ。
【００２４】
次に、有効漏れ電流Ｉｏｒｖのみが生じて、絶縁不良が発生している場合（配電線Ｌｖに絶縁不良が発生している場合）について、図３を参照して説明する。なお、各相電圧Ｖｕ，Ｖｖ，Ｖｗおよび相間電圧Ｖｖｕについては、破線で示している。
【００２５】
図３に示すように、各無効漏れ電流Ｉｏｃｕ，Ｉｏｃｖの合成無効漏れ電流Ｉｏｃは図２と同じ状態（相間電圧Ｖｖｕと同位相の状態）で存在している。このため、この合成無効漏れ電流Ｉｏｃと有効漏れ電流Ｉｏｒｖ（相電圧Ｖｖと同位相（２１０°））とを合成してなる合成漏れ電流Ｉｏは、同図に示すように、相間電圧Ｖｖｕを基準とした２１０°から３６０°までの１５０°の範囲内に存在することになる。ここで、合成漏れ電流Ｉｏの先端から相間電圧Ｖｖｕと同位相の仮想直線Ｌ１上に下ろした垂線ａの長さは、｜Ｉｏ×ｓｉｎθ｜となる。また、有効漏れ電流Ｉｏｒｖの先端から仮想直線Ｌ１上に下ろした垂線ｃの長さは、垂線ａと同じ長さである。また、有効漏れ電流Ｉｏｒｖと仮想直線Ｌ１との成す角度は３０°である。したがって、有効漏れ電流Ｉｏｒｖの長さ（電流値）についても、｜２×ｃ｜＝｜２×Ｉｏ×ｓｉｎθ｜となる。また、有効漏れ電流Ｉｏｒｕがゼロであることから、有効漏れ電流Ｉｏｒｖが、配電線Ｌｕ，Ｌｖについての絶縁抵抗の合成有効漏れ電流Ｉｏｒとなる。したがって、上記式（１）が成り立つ。
【００２６】
記憶部５は、ＲＯＭおよびＲＡＭ等の半導体メモリで構成されている。また、記憶部５には、処理部４のための動作プログラム、合成有効漏れ電流Ｉｏｒ算出用の上記式（１）、および合成有効漏れ電流Ｉｏｒについての規格値Ｉｒｅｆ（例えば、１ｍＡ）が予め記憶されている。また、記憶部５は、処理部４によってワークメモリとして使用されて、相間電圧波形データＤｖおよび電流波形データＤｉが記憶される。出力部６は、一例として、ディスプレイ装置（例えばＬＣＤ）などの表示装置を備えて表示部として構成されている。この構成により、出力部６は、処理部４の実施した漏れ電流算出処理の結果（合成有効漏れ電流Ｉｏｒ）および絶縁状態の判別結果を表示する。
【００２７】
続いて、漏れ電流測定装置１の動作について説明する。なお、予め、一対の電圧検出プローブ２１，２１が配電線Ｌｕ，Ｌｖに接続され、かつ電流検出プローブ２２が配電線Ｌｕ，Ｌｖに予め決められた向きで装着されているものとする。
【００２８】
漏れ電流測定装置１の作動状態において、電圧検出部２は、一対の電圧検出プローブ２１，２１を介して相間電圧Ｖｖｕを検出して、処理部４に出力する。また、電流検出部３は、電流トランス型の電流検出プローブ２２を介して、配電線Ｌｕ，Ｌｖに流れる合成漏れ電流Ｉｏを検出すると共に、電圧信号Ｖｉに変換して処理部４に出力する。
【００２９】
処理部４は、まず、相間電圧Ｖｖｕおよび電圧信号Ｖｉを入力しつつ、商用周波数の所定周期分以上、Ａ／Ｄ変換処理を実行して、相間電圧Ｖｖｕを相間電圧波形データＤｖに変換して、記憶部５に記憶させると共に、電圧信号Ｖｉを電流波形データＤｉに変換して、記憶部５に記憶させる。次いで、処理部４は、電流算出処理を実行して、記憶部５に記憶されている電流波形データＤｉに基づいて合成漏れ電流Ｉｏの電流値（以下では、「電流値Ｉｏ」ともいう）を算出して、記憶部５に記憶させる。続いて、処理部４は、位相差算出処理を実行して、記憶部５に記憶されている相間電圧波形データＤｖおよび電流波形データＤｉに基づいて、相間電圧Ｖｖｕと合成漏れ電流Ｉｏとの間の位相差θを算出して、記憶部５に記憶させる。
【００３０】
最後に、処理部４は、漏れ電流算出処理を実行する。この漏れ電流算出処理では、処理部４は、まず、合成漏れ電流Ｉｏの電流値Ｉｏ、位相差θおよび上記式（１）を記憶部５から読み出すと共に、電流値Ｉｏおよび位相差θを式（１）に代入して、配電線Ｌｕ，Ｌｖについての合成有効漏れ電流Ｉｏｒを算出（測定）する。次いで、処理部４は、記憶部５から合成有効漏れ電流Ｉｏｒについての規格値Ｉｒｅｆを読み出すと共に、算出した合成有効漏れ電流Ｉｏｒをこの規格値Ｉｒｅｆと比較して、合成有効漏れ電流Ｉｏｒが規格値Ｉｒｅｆ以上のときには、算出した合成有効漏れ電流Ｉｏｒと共に、規格値Ｉｒｅｆ以上の合成有効漏れ電流Ｉｏｒが発生している旨（絶縁状態が不良である旨）の判別結果を出力部６に表示させる。一方、処理部４は、算出した合成有効漏れ電流Ｉｏｒをこの規格値Ｉｒｅｆと比較して、合成有効漏れ電流Ｉｏｒが規格値Ｉｒｅｆ未満のときには、算出した合成有効漏れ電流Ｉｏｒと共に、合成有効漏れ電流が規格値未満である旨（絶縁状態が良好である旨）の判別結果を出力部６に表示させる。
【００３１】
このように、この漏れ電流測定装置１によれば、相間電圧Ｖｖｕと合成漏れ電流Ｉｏとの間の位相差θ、合成漏れ電流Ｉｏおよび上記式（１）に基づいて、Ｙ形に結線された交流電源１２の三相端子Ｕ，Ｖに接続される２つの配電線Ｌｕ，Ｌｖについての絶縁抵抗の漏れ電流（合成有効漏れ電流）Ｉｏｒを精度良く測定することができる。
【００３２】
また、この漏れ電流測定装置１によれば、測定した合成有効漏れ電流Ｉｏｒと予め規定された規格値Ｉｒｅｆとを処理部４が比較して、この比較結果を出力部６に表示させることで、漏れ電流測定装置１のオペレータは、配電線Ｌｕ，Ｌｖの絶縁状態の良否を確実かつ容易に認識することができる。
【００３３】
なお、交流電源１２の三相端子Ｕ，Ｖに接続される２つの配電線Ｌｕ，Ｌｖについての絶縁抵抗の合成有効漏れ電流Ｉｏｒを測定する例を挙げて説明したが、図示はしないが、交流電源１２の三相端子Ｖ，Ｗに２つの配電線Ｌｖ，Ｌｗを接続する構成、および交流電源１２の三相端子Ｗ，Ｕに２つの配電線Ｌｗ，Ｌｕを接続する構成においても、漏れ電流測定装置１を用いて、上記した配電線Ｌｕ，Ｌｖについての合成有効漏れ電流Ｉｏｒを測定するのと同様にして、相間電圧Ｖｗｖ（またはＶｕｗ）と合成漏れ電流Ｉｏとの間の位相差θ、合成漏れ電流Ｉｏおよび上記式（１）に基づいて、配電線Ｌｖ，Ｌｗや配電線Ｌｗ，Ｌｕについての絶縁抵抗の漏れ電流（合成有効漏れ電流）Ｉｏｒを精度良く測定することができる。また、測定された合成有効漏れ電流Ｉｏｒと規格値Ｉｒｅｆとの比較によって絶縁状態を判別することもできる。また、処理部４が、測定した合成有効漏れ電流Ｉｏｒを規格値Ｉｒｅｆと比較して、絶縁状態まで判別する構成について上記したが、測定した合成有効漏れ電流Ｉｏｒと規格値Ｉｒｅｆとの比較を実施することなく、合成有効漏れ電流Ｉｏｒを出力部６に出力する構成を採用することもできる。この構成においても、測定された合成有効漏れ電流Ｉｏｒは出力部６によって出力（本例では表示）されるため、漏れ電流測定装置１のオペレータは、２つの配電線についての合成有効漏れ電流Ｉｏｒを知ることができ、自分で規格値Ｉｒｅｆと比較することにより、２つの配電線についての絶縁状態を判別することができる。
【００３４】
また、上記したように、交流電源１２における変圧器の低圧側三相巻線１１の三相端子Ｕ，Ｖに配電線Ｌｕ，Ｌｖが接続され、かつこの配電線Ｌｕ，Ｌｖに電流検出プローブ２２が予め決められた向きで装着されているときには、合成漏れ電流Ｉｏは、図２に示す相間電圧Ｖｖｕを基準とした３３０°から３６０°までの３０°の範囲内、および図３に示す相間電圧Ｖｖｕを基準とした２１０°から３６０°までの１５０°の範囲内のいずれか、すなわち相間電圧Ｖｖｕを基準とした２１０°から３６０°までの１５０°の角度範囲内に常に存在することになる。したがって、この角度範囲を規定角度範囲θｒｅｆとして予め記憶部５に記憶させておき、処理部４が、位相差算出処理で算出した相間電圧Ｖｖｕと合成漏れ電流Ｉｏとの間の位相差θと規定角度範囲θｒｅｆとを比較して、位相差θがこの規定角度範囲θｒｅｆ外のときに、配電線Ｌｕ，Ｌｖが低圧側三相巻線１１の三相端子Ｕ，Ｖ以外の端子に誤接続されているか、または電流検出プローブ２２の配電線Ｌｕ，Ｌｖへの装着方向が誤っている可能性がある旨の表示（エラー表示）を出力部６に表示させる構成を採用することもできる。また、低圧側三相巻線１１の三相端子Ｖ，Ｗに接続される２つの配電線Ｌｖ，Ｌｗや、三相端子Ｗ，Ｕに接続される２つの配電線Ｌｗ，Ｌｕについても、配電線Ｌｖ，Ｌｗについては相間電圧Ｖｗｖを基準とし、配電線Ｌｗ，Ｌｖについては相間電圧Ｖｕｗを基準とすることにより、いずれの場合も規定角度範囲θｒｅｆを上記した配電線Ｌｕ，Ｌｖの場合と同様の２１０°から３６０°までの１５０°の角度範囲とすることができる。このため、２つの配電線Ｌｖ，Ｌｗや、２つの配電線Ｌｗ，Ｌｕについても、配電線Ｌｕ，Ｌｖの場合と同様にして、これら２つの配電線の低圧側三相巻線１１の三相端子Ｕ，Ｖ，Ｗへの誤接続の可能性や、電流検出プローブ２２のこの２つの配電線への誤装着などの可能性を判別することができる。
【００３５】
また、各三相端子Ｕ，Ｖ，Ｗに接地用コンデンサ１３が接続される構成の交流電源１２を例に挙げて説明したが、中性点Ｎが接地される構成の交流電源についても、漏れ電流測定装置１を用いて、２つの配電線についての合成有効漏れ電流Ｉｏｒを測定したり、測定した合成有効漏れ電流Ｉｏｒに基づいてこの２つの配電線の絶縁状態を判別したり、これらの２つの配電線の低圧側三相巻線１１の三相端子Ｕ，Ｖ，Ｗへの誤接続の可能性や、電流検出プローブ２２のこの２つの配電線への誤装着などの可能性を判別したりすることができるのは勿論である。
【符号の説明】
【００３６】
１  漏れ電流測定装置
２  電圧検出部
３  電流検出部
４  処理部
Ｉｏｒ  漏れ電流
Ｉｒｅｆ  規格値
Ｌｕ，Ｌｖ  配電線
Ｖｖｕ  相間電圧
【図１】
0005449895.tif 000002
【図２】
0005449895.tif 000003
【図３】
0005449895.tif 000004